(57)【特許請求の範囲】
【請求項１】
前面に開口が形成された直方状の断熱筐体であるケース本体の収納域に、上下方向に沿って複数段設けられ、かつ収納対象である商品を載置するショーケースの商品載置棚であって、
上面が前記商品を載置するための商品載置面を構成する平板状をなし、かつ両側部に第１滑動部材が配設された棚板と、
前記収納域の背面を構成する支柱に支持され、かつ前記第１滑動部材と対向可能な領域に第２滑動部材が配設された左右一対のブラケットと、
前記第１滑動部材の進入を許容し、かつ進入した第１滑動部材を相対的に前後方向に沿って移動可能に支持する縦断面が略コ字状の棚板レール部と、前記第２滑動部材の進入を許容し、かつ進入した第２滑動部材を相対的に前後方向に沿って移動可能に支持する縦断面が略コ字状のブラケットレール部とが互いに背中合わせとなる態様で接合されてなり、前記棚板が前後方向に沿って移動することを許容するレール部材と、
前記棚板に左右方向に沿って弾性変形可能に配設され、前記棚板が後方に向けて移動して基準位置にある場合には、自身に形成された突起部が前記ブラケットに形成された突出部に係止して前記棚板が前方に向けて移動することを規制する一方、自身が弾性変形させられた場合には、前記突起部が前記突出部との係止状態を解除されることにより前記棚板が前方に向けて移動することを許容する樹脂製のストッパ部材と
を備えたことを特徴とするショーケースの商品載置棚。
【請求項２】
前記レール部材の前記ブラケットレール部には、進入した前記第２滑動部材の離脱を許容する切欠部が形成されてなることを特徴とする請求項１に記載のショーケースの商品載置棚。
【請求項３】
前記第１滑動部材及び前記第２滑動部材は、樹脂材から形成されたものであり、それぞれが段付ネジ部材により該段付ネジ部材の軸心回りに回転可能に配設されたことを特徴とする請求項１又は請求項２に記載のショーケースの商品載置棚。
【発明の詳細な説明】
【技術分野】
【０００１】
本発明は、ショーケースの商品載置棚に関し、より詳細には、収納対象となる商品を所望の温度状態に保持するようにしたショーケースに適用される商品載置棚に関するものである。
【背景技術】
【０００２】
従来、収納対象となる商品を所望の温度状態に保持するようにしたショーケースとして、次のようなものが知られている。例えば前面に開口が形成されたケース本体の収納域に複数の商品載置棚が上下方向に沿って複数段設けられており、それぞれの商品載置棚に商品が載置されている。また、ケース本体内であって収納域外となる個所には、吸込口を通じて吸い込んだ収納域の内部の空気を冷却する冷却器が配設されており、この冷却器で冷却された空気が吹出口から収納域の内部に吹き出されることにより、商品載置棚に載置された商品が所望の温度状態に調整されることになる。
【０００３】
かかるショーケースにおける商品載置棚には、固定式のものの他に、商品補充の利便性等を考慮したスライド式のものが知られている。このようなスライド式の商品載置棚は、棚板、ブラケット及びスライドレールを備えて構成されている。
【０００４】
棚板は、平板状のものであり、上面が商品を載置する商品載置面を構成している。ブラケットは、ケース本体の収納域の背面を構成する支柱に支持された左右一対のものである。スライドレールは、棚板とブラケットとの間に介在して両者を係合するものであり、棚板レールと、ブラケットレールと、中央レールとを組み合わせた組立構造を有するものである。棚板レールは棚板の両側部において前後方向に沿って延在する長尺状のレール部材である。ブラケットレールは、ブラケットにおける棚板レールと対向可能な領域に配設され、かつ前後方向に沿って延在する長尺状のレール部材である。中央レールは、前後方向に沿って延在する長尺状のものであり、棚板レール及びブラケットレールのそれぞれに対してボールベアリングを介在させた状態で係合している（例えば、特許文献１参照）。
【先行技術文献】
【特許文献】
【０００５】
【特許文献１】特開２００６−１５８４０９号公報
【発明の概要】
【発明が解決しようとする課題】
【０００６】
ところで、上述したような特許文献１に提案されているようなショーケースの商品載置棚においては、スライドレールが棚板レール、ブラケットレール及び中央レールを組み合わせた組立構造であるために、棚板の両側部に長尺状の棚板レールをネジ等で取り付け、ブラケットの所定域に長尺状のブラケットレールをネジ等で取り付ける必要があり、更に棚板レール及びブラケットレールを中央レールに係合させる必要があり、商品載置棚の組み立て作業が煩雑なものとなっていた。
【０００７】
本発明は、上記実情に鑑みて、部品点数を削減しながら組立性の向上を図ることができるショーケースの商品載置棚を提供することを目的とする。
【課題を解決するための手段】
【０００８】
上記目的を達成するために、本発明に係るショーケースの商品載置棚は、前面に開口が形成された直方状の断熱筐体であるケース本体の収納域に、上下方向に沿って複数段設けられ、かつ収納対象である商品を載置するショーケースの商品載置棚であって、上面が前記商品を載置するための商品載置面を構成する平板状をなし、かつ両側部に第１滑動部材が配設された棚板と、前記収納域の背面を構成する支柱に支持され、かつ前記第１滑動部材と対向可能な領域に第２滑動部材が配設された左右一対のブラケットと、前記第１滑動部材の進入を許容し、かつ進入した第１滑動部材を相対的に前後方向に沿って移動可能に支持する縦断面が略コ字状の棚板レール部と、前記第２滑動部材の進入を許容し、かつ進入した第２滑動部材を相対的に前後方向に沿って移動可能に支持する縦断面が略コ字状のブラケットレール部とが互いに背中合わせとなる態様で接合されてなり、前記棚板が前後方向に沿って移動することを許容するレール部材と、前記棚板に左右方向に沿って弾性変形可能に配設され、前記棚板が後方に向けて移動して基準位置にある場合には、自身に形成された突起部が前記ブラケットに形成された突出部に係止して前記棚板が前方に向けて移動することを規制する一方、自身が弾性変形させられた場合には、前記突起部が前記突出部との係止状態を解除されることにより前記棚板が前方に向けて移動することを許容する樹脂製のストッパ部材とを備えたことを特徴とする。
【０００９】
また本発明は、上記ショーケースの商品載置棚において、前記レール部材の前記ブラケットレール部には、進入した前記第２滑動部材の離脱を許容する切欠部が形成されてなることを特徴とする。
【００１１】
また本発明は、上記ショーケースの商品載置棚において、前記第１滑動部材及び前記第２滑動部材は、樹脂材から形成されたものであり、それぞれが段付ネジ部材により該段付ネジ部材の軸心回りに回転可能に配設されたことを特徴とする。
【発明の効果】
【００１２】
本発明によれば、上面が前記商品を載置するための商品載置面を構成する平板状をなす棚板には、両側部に第１滑動部材が配設され、収納域の背面を構成する支柱に支持された左右一対のブラケットには、第１滑動部材と対向可能な領域に第２滑動部材が配設され、レール部材は、第１滑動部材の進入を許容し、かつ進入した第１滑動部材を相対的に前後方向に沿って移動可能に支持する縦断面が略コ字状の棚板レール部と、第２滑動部材の進入を許容し、かつ進入した第２滑動部材を相対的に前後方向に沿って移動可能に支持する縦断面が略コ字状のブラケットレール部とが互いに背中合わせとなる態様で接合されてなり、棚板が前後方向に沿って移動することを許容するので、従来のように棚板及びブラケットのそれぞれに長尺状のレール部材を配設する必要がなく、部品点数の削減を図ることができる。しかも棚板及びブラケットにはそれぞれ滑動部材を配設し、配設した滑動部材をレール部材に進入させるだけでよいので、組立作業が容易なものとなる。従って、部品点数を削減しながら組立性の向上を図ることができるという効果を奏する。
【図面の簡単な説明】
【００１３】
【図１】図１は、本発明の実施の形態１である商品載置棚が適用されたショーケースの内部構造を側方から見た場合を示す断面側面図である。
【図２】図２は、図１に示した商品載置棚を示す斜視図である。
【図３】図３は、図１に示した商品載置棚の要部を分解して示す分解斜視図である。
【図４】図４は、図１に示した商品載置棚の要部を模式的に示す斜視図である。
【図５】図５は、図１に示した商品載置棚の要部を側方から見た場合を示す説明図である。
【図６】図６は、図４及び図５に示すように収納姿勢にある商品載置棚の要部を前方側下方域より見た場合を示す斜視図である。
【図７】図７は、図６に示したストッパ部材を上方から模式的に示す説明図である。
【図８】図８は、図６に示したストッパ部材を上方から模式的に示す説明図である。
【図９】図９は、図１に示した商品載置棚の要部を模式的に示す斜視図である。
【図１０】図１０は、図１に示した商品載置棚の要部を側方から見た場合を示す説明図である。
【図１１】図１１は、棚板をブラケットから取り外した状態を示す斜視図である。
【図１２】図１２は、棚板をブラケットから取り外した状態を側方から見た場合を示す説明図である。
【図１３】図１３は、本発明の実施の形態であるショーケースを構成する商品載置棚の変形例を模式的に示す斜視図である。
【図１４】図１４は、本発明の実施の形態２である商品載置棚の要部を分解して示す分解斜視図である。
【図１５】図１５は、本発明の実施の形態２である商品載置棚を模式的に示す斜視図である。
【図１６】図１６は、図１４に示した商品載置棚の要部を拡大して示す斜視図である。
【発明を実施するための形態】
【００１４】
以下に添付図面を参照して、本発明に係るショーケースの商品載置棚の好適な実施の形態について詳細に説明する。
【００１５】
＜実施の形態１＞
図１は、本発明の実施の形態１である商品載置棚が適用されたショーケースの内部構造を側方から見た場合を示す断面側面図である。ここで例示するショーケースは、ケース本体１を備えている。
【００１６】
ケース本体１は、前面に開口（前面開口）１ａが形成された略直方状の断熱筐体であり、その内部には収納室（収納域）２が画成してあるとともに、空気循環手段３が設けてある。
【００１７】
収納室２は、上記前面開口１ａを臨む態様で画成された室であり、複数（図示の例では６つ）の商品載置棚２０が上下方向に沿って複数段並べて配設してある。これら商品載置棚２０の構成については後述する。
【００１８】
空気循環手段３は、空気通路４と循環ファンＦとを備えて構成してある。空気通路４は、吸込口５から吹出口６に至る空気の通路である。ここに吸込口５は、収納室２の内部の空気を吸い込むための開口であり、収納室２の左右方向に沿って延設してある。この吸込口５は、収納室２の下側前方縁部、すなわちケース本体１の前面開口１ａ近傍の下部に配設してある。吹出口６は、収納室２の内部に空気を吹き出すための開口である。これら吹出口６は、収納室２の左右方向に延設してあって、収納室２の上側前方縁部、すなわちケース本体１の前面開口１ａ近傍の上部に前後に並設してある。
【００１９】
このような空気通路４は、収納室２外であってその下方にある下方ダクト４ａと、収納室２外であってその背面側にある背面ダクト４ｂと、収納室２外であってその上方にある上方ダクト４ｃとを互いに連通した態様で構成してある。
【００２０】
循環ファンＦは、空気を循環させるものであり、背面ダクト４ｂの所定部位に配設してある。本実施の形態１においては、循環ファンＦは背面ダクト４ｂの所定部位に配設してあるが、本発明では、循環ファンＦの配設位置は特に限定されるものではなく、後述する循環ファンＦの機能を発揮することができる個所であればどこに配設しても構わない。
【００２１】
このような空気循環手段３においては、循環ファンＦが駆動することにより吸込口５を通じて収納室２の内部にある空気（内部空気）を吸い込み、吸い込んだ空気が空気通路４を通過する態様で吹出口６まで送出し、吹出口６を通じて送出した空気を収納室２の内部に吹き出すことにより、収納室２の内部と外部との間で空気を循環させるものである。
【００２２】
上記空気通路４の背面ダクト４ｂには蒸発器（冷却器）７が設けてある。蒸発器７は、図には明示しないが、圧縮機、凝縮器及び膨張弁とともに冷媒を循環させる冷媒循環手段を構成する。ここに圧縮機は、冷媒を圧縮するものであり、凝縮器は、圧縮機で圧縮された冷媒を凝縮させるものである。膨張弁は、凝縮器で凝縮された冷媒を断熱膨張させて低温低圧の状態にさせるものである。
【００２３】
蒸発器７は、循環ファンＦが駆動することにより背面ダクト４ｂを下方から上方に向けて通過する空気と、膨張弁で断熱膨張された冷媒とを熱交換させるもの、より詳細には、冷媒を蒸発させることにより背面ダクト４ｂ（空気通路４）を通過する空気を冷却するものである。この蒸発器７で蒸発した冷媒は、再び圧縮機に戻り圧縮されることになる。
【００２４】
上記商品載置棚２０は、図２に示すように、スライド式の構造を有するものであり、商品を陳列させる場合には、図２の（ａ）に示すような収納姿勢となる一方、商品の補充を行う場合には、図２の（ｂ）に示すような補充姿勢となるものである。以下に、図面を適宜参照しながら商品載置棚２０について説明する。
【００２５】
図３は、図１に示した商品載置棚２０の要部を分解して示す分解斜視図である。この図３に示すように、上記商品載置棚２０は、棚板２１、ブラケット２２及びレール部材２３を備えて構成してある。
【００２６】
棚板２１は、例えば鋼板等を適宜屈曲させて形成した平板状をなすものである。この棚板２１の上面２１１は、収納対象となる商品を載置する商品載置面を構成している。また、棚板２１の両側部における下面には、鋼板等から形成された棚板補強材２１２がそれぞれ配設してあり、該棚板補強材２１２には、２つの棚板ローラ部材（第１滑動部材）２１３が前後に並ぶ態様でネジ２１４等により固定してある。これら棚板ローラ部材２１３は、ネジ２１４の軸心回りに回転自在に配設してある。尚、図３は、商品載置棚２０の左側部における要部を示しているが、商品載置棚２０の右側部においても同様の構成要素を有しており、図示の例と左右反転した状態で構成されている。ここで本実施の形態１において、左側とは、ショーケースを正面から見た場合の左方を示し、右側とは、ショーケースを正面から見た場合の右方を示すものとする。
【００２７】
ブラケット２２は、例えば鋼板等を加工して形成され、左右一対となるものである。これらブラケット２２は、前後方向が長手方向となる長尺板状部材であり、それぞれケース本体１の収納室２の背面を構成する支柱８（図４等参照）に支持されて配設してある。より詳細には、各ブラケット２２の後端部に配設された係合片２２１が、該支柱８に形成された係合孔８ａ（図４等参照）に挿通することにより支持されて配設してある。
【００２８】
このようなブラケット２２においては、左側に配設されたブラケット２２の右側面、並びに右側に配設されたブラケット２２の左側面の前方側には、それぞれ２つのブラケットローラ部材（第２滑動部材）２２２が前後に並ぶ態様でネジ２２３等により固定してある。これらブラケットローラ部材２２２は、ネジ２２３の軸心回りに回転自在に配設してある。
【００２９】
レール部材２３は、棚板レール部２３１とブラケットレール部２３２とが互いに接合されて構成したものである。
【００３０】
棚板レール部２３１は、縦断面が略コ字状をなし、前後方向が長手方向となる長尺棒状体である。この棚板レール部２３１は、上下方向に沿って延在する基部２３１１と、基部２３１１の上端から水平方向に延在する上部水平延在部２３１２と、上部水平延在部２３１２の延在端部より下方に向けて僅かに延在する垂下部２３１３と、基部２３１１の下端から水平方向に延在する下部水平延在部２３１４と、下部水平延在部２３１４の延在端部より上方に向けて僅かに延在する垂上部２３１５とを有して構成してある。ここで上部水平延在部２３１２と下部水平延在部２３１４との離間距離は、棚板ローラ部材２１３が進入可能な大きさを有しており、進入した棚板ローラ部材２１３は、下部水平延在部２３１４の上面を転動面として前後方向に沿って相対的に移動することになる。また垂上部２３１５の延在長さは、上部水平延在部２３１２と下部水平延在部２３１４との間に進入した棚板ローラ部材２１３が左右方向に相対的に移動して抜け出すことを規制することができる大きさに調整してある。また、基部２３１１における前端部には、上部水平延在部２３１２の下方側であって、下部水平延在部２３１４の上方側となる領域に突出する態様で前方側規制片２３１６が配設してある。
【００３１】
ブラケットレール部２３２は、縦断面が略コ字状をなし、前後方向が長手方向となる長尺棒状体である。このブラケットレール部２３２は、上下方向に沿って延在する基部２３２１と、基部２３２１の上端から水平方向に延在する上部水平延在部２３２２と、上部水平延在部２３２２の延在端部より下方に向けて僅かに延在する垂下部２３２３と、基部２３２１の下端から水平方向に延在する下部水平延在部２３２４と、下部水平延在部２３２４の延在端部より上方に向けて僅かに延在する垂上部２３２５とを有して構成してある。ここで上部水平延在部２３２２と下部水平延在部２３２４との離間距離は、ブラケットローラ部材２２２が進入可能な大きさを有しており、進入したブラケットローラ部材２２２は、下部水平延在部２３２４の上面を転動面として前後方向に沿って相対的に移動することになる。また垂下部２３２３の延在長さは、上部水平延在部２３２２と下部水平延在部２３２４との間に進入したブラケットローラ部材２２２が左右方向に相対的に移動して抜け出すことを規制することができる大きさに調整してある。また、基部２３２１における後端部には、上部水平延在部２３２２の下方側であって、下部水平延在部２３２４の上方側となる領域に突出する態様で後方側規制片２３２６が配設してある。
【００３２】
また、ブラケットレール部２３２の上部水平延在部２３２２の後方側には、切欠部２３２２ａが形成してある。この切欠部２３２２ａは、ブラケットローラ部材２２２が通過することが可能な大きさを有している。
【００３３】
これら棚板レール部２３１とブラケットレール部２３２とが、互いに背中合わせとなる態様で、すなわち互いの基部２３１１，２３２１どうしが接する態様で溶接接合されてレール部材２３が構成してある。
【００３４】
そして、レール部材２３のブラケットレール部２３２における前方側開放端よりブラケットローラ部材２２２を進入させた後、レール部材２３の棚板レール部２３１における後方側開放端より棚板ローラ部材２１３を進入させる。これにより棚板２１がブラケット２２にレール部材２３を介在させて係合され、商品載置棚２０が構成される。その後、棚板２１を後方側に向けて移動させて基準位置に位置させると、商品載置棚２０は、図４及び図５に示すように収納姿勢となる。ここで図４及び図５は、それぞれ図１に示した商品載置棚２０を模式的に示すものであり、図４は斜視図、図５は側方から見た場合を示す説明図である。
【００３５】
このような商品載置棚２０においては、図６に示すようにストッパ部材３０が配設してある。ここで図６は、図４及び図５に示すように収納姿勢にある商品載置棚２０の要部を前方側下方域より見た場合を示す斜視図である。尚、図６は、商品載置棚２０の左側部における要部を示しているが、商品載置棚２０の右側部においても同様の構成要素を有している。
【００３６】
ストッパ部材３０は、樹脂材から構成される樹脂製のものであり、後端部分が棚板補強材２１２に取り付けられ、かかる後端部分を基準として左右方向に沿って弾性変形可能となる態様に配設してある。
【００３７】
図７は、図６に示したストッパ部材３０を上方から模式的に示す説明図である。この図７に示すように、商品載置棚２０が収納姿勢にある場合（棚板２１が基準位置にある場合）、ストッパ部材３０は、自身に形成された突起部３１がブラケット２２に形成された突出部２２４に係止して、棚板２１が前方に向けて移動することを規制している。
【００３８】
商品載置棚２０が収納姿勢にある場合において、ストッパ部材３０に押圧力が付与されて、該ストッパ部材３０が図７中の矢印方向に向けて弾性変形させられた場合には、突起部３１が突出部２２４との係止状態を解除されることになり、棚板２１が前方に向けて移動することが可能になる。棚板２１が前方に向けて移動させられ、ストッパ部材３０に付与された押圧力が解除されると、ストッパ部材３０は、図８に示すように自身の弾性復元力により元の状態に戻ることになる。
【００３９】
このようにして棚板２１が前方に向けて移動させられると、棚板ローラ部材２１３が、棚板レール部２３１を前方に向けて相対的に移動する。そして前方側の棚板ローラ部材２１３が前方側規制片２３１６に当接すると、レール部材２３（ブラケットレール部２３２）がブラケットローラ部材２２２に対して前方に向けて相対的に移動する。換言すると、ブラケットローラ部材２２２が、ブラケットレール部２３２を後方に向けて相対的に移動する。そして、図９及び図１０に示すように、後方側のブラケットローラ部材２２２が後方側規制片２３２６に当接すると、棚板２１の前方に向けての移動が規制され、商品載置棚２０は補充姿勢となる。
【００４０】
このような補充姿勢となる商品載置棚２０を上記収納姿勢にする場合には、棚板２１を後方に向けて移動させればよい。棚板２１が後方に向けて移動することにより、ストッパ部材３０の突起部３１がブラケット２２の突出部２２４に当接することになるが、ストッパ部材３０は、突出部２２４により押圧されて弾性変形し、突起部３１が突出部２２４を乗り越えた後、自身の弾性復元力により元の状態に戻る。
【００４１】
ところで、上記商品載置棚２０においては、ブラケットレール部２３２の上部水平延在部２３２２には切欠部２３２２ａが形成してある。これにより、棚板２１を前方に向けて移動させる場合に、ブラケットレール部２３２を後方に向けて相対的に移動するブラケットローラ部材２２２を切欠部２３２２ａから外部に離脱させることにより、図１１及び図１２に示すように、棚板２１をブラケット２２から取り外すことができる。
【００４２】
以上説明したように本実施の形態１であるショーケースの商品載置棚２０においては、棚板２１には棚板ローラ部材２１３が配設され、ブラケット２２にはブラケットローラ部材２２２が配設され、棚板２１とブラケット２２との間に介在するレール部材２３は、棚板ローラ部材２１３の進入を許容し、かつ進入した棚板ローラ部材２１３を相対的に前後方向に沿って移動可能に支持する縦断面が略コ字状の棚板レール部２３１と、ブラケットローラ部材２２２の進入を許容し、かつ進入したブラケットローラ部材２２２を相対的に前後方向に沿って移動可能に支持する縦断面が略コ字状のブラケットレール部２３２とが互いに背中合わせとなる態様で接合されてなり、棚板２１が前後方向に沿って移動することを許容する。これにより、従来のように棚板及びブラケットのそれぞれに長尺状のレール部材を配設する必要がなく、部品点数の削減を図ることができる。しかも棚板２１及びブラケット２２にはそれぞれローラ部材（棚板ローラ部材２１３、ブラケットローラ部材２２２）を配設し、配設したローラ部材をレール部材２３に進入させるだけでよいので、組立作業が容易なものとなる。従って、本実施の形態１であるショーケースの商品載置棚２０によれば、部品点数を削減しながら組立性の向上を図ることができる。
【００４３】
上記ショーケースの商品載置棚２０によれば、ブラケットレール部２３２（レール部材２３）の切欠部２３２２ａが進入したブラケットローラ部材２２２の離脱を許容するので、棚板２１を前方に向けて移動させる際にブラケットローラ部材２２２を切欠部２３２２ａから外部に離脱させることにより、棚板２１だけをブラケット２２から取り外すことができる。これにより、商品載置棚２０の高さ位置を変更させる作業が容易になるとともに、棚板２１のみの交換、若しくはメンテナンスを行うことができる。
【００４４】
また、上記ショーケースの商品載置棚２０によれば、樹脂製のストッパ部材３０が左右方向に沿って弾性変形可能に棚板２１に配設してあるので、前方に移動させた棚板２１を基準位置に戻す際に、ストッパ部材３０の突出部２２４がブラケット２２の突起部３１を乗り越えることによりストッパ部材３０が自身の弾性復元力により元の状態に戻って突出部２２４が突起部３１と係止状態となるが、かかる係止状態となる場合に生じる振動を低減化させることができ、これにより棚板２１の上面２１１に載置された商品の姿勢が変化してしまうことを抑制することができる。
【００４５】
以上、本発明の好適な実施の形態１について説明したが、本発明はこれに限定されるものではなく、種々の変更を行うことができる。
【００４６】
上述した実施の形態１では、樹脂製のストッパ部材３０を用いていたが、本発明では、かかるストッパ部材３０は必須の構成要素ではなく、他のストッパ部材を用いても良い。
【００４７】
また、上述した実施の形態１では、棚板２１及びブラケット２２にそれぞれローラ部材２１３，２２２を滑動部材の一例として例示したが、本発明においては、ローラ部材に限らず、樹脂等で成形したものを滑動部材として用いても構わない。
【００４８】
また、上述した実施の形態１では、ブラケットレール部２３２の上部水平延在部２３２２の後方側には、切欠部２３２２ａが形成してあったが、本発明においてはかかる切欠部２３２２ａは必須の構成要素ではなく、図１３に示すように切欠部のないブラケットレール部２３２を備えるレール部材２３であっても構わない。
【００４９】
＜実施の形態２＞
図１４及び図１５は、それぞれ本発明の実施の形態２である商品載置棚を示すものであり、図１４は、商品載置棚の要部を分解して示す分解斜視図であり、図１５は、商品載置棚を模式的に示す斜視図である。尚、上述した実施の形態１と同一の構成を有するものには同一の符号を付してその説明を適宜省略する。
【００５０】
上記商品載置棚２０は、棚板２１、ブラケット２２及びレール部材２３を備えて構成してある。
【００５１】
棚板２１は、例えば鋼板等を適宜屈曲させて形成した平板状をなすものである。この棚板２１の上面２１１は、収納対象となる商品を載置する商品載置面を構成している。また、棚板２１の両側部における下面には、鋼板等から形成された棚板補強材２１２がそれぞれ配設してあり、該棚板補強材２１２には、２つの棚板ローラ部材（第１滑動部材）２４３が前後に並ぶ態様で段付ネジ２４４により固定してある（図１６参照）。これら棚板ローラ部材２４３は、樹脂材により形成されたものである。段付ネジ２４４は、棚板ローラ部材２４３に形成された貫通孔２４３ａを貫通して該棚板ローラ部材２４３を棚板補強部材２１２に取り付けるものである。これにより棚板ローラ部材２４３は、段付ネジ２４４の軸心回りに回転自在に配設してある。尚、図１４は、商品載置棚２０の左側部における要部を示しているが、商品載置棚２０の右側部においても同様の構成要素を有しており、図示の例と左右反転した状態で構成されている。ここで本実施の形態２において、左側とは、ショーケースを正面から見た場合の左方を示し、右側とは、ショーケースを正面から見た場合の右方を示すものとする。
【００５２】
ブラケット２２は、例えば鋼板等を加工して形成され、左右一対となるものである。これらブラケット２２は、前後方向が長手方向となる長尺板状部材であり、それぞれケース本体１の収納室２の背面を構成する支柱８に支持されて配設してある。より詳細には、各ブラケット２２の後端部に配設された係合片２２１が、該支柱８に形成された係合孔８ａに挿通することにより支持されて配設してある。
【００５３】
このようなブラケット２２においては、左側に配設されたブラケット２２の右側面、並びに右側に配設されたブラケット２２の左側面の前方側には、それぞれ２つのブラケットローラ部材（第２滑動部材）２５２が前後に並ぶ態様で段付ネジ２５３により固定してある。これらブラケットローラ部材２５２は、に示すように樹脂材により形成されたものである。段付ネジ２５３は、ブラケットローラ部材２５２に形成された貫通孔（図示せず）を貫通して該ブラケットローラ部材２５２をブラケット２２に取り付けるものである。これによりブラケットローラ部材２５２は、段付ネジ２５３の軸心回りに回転自在に配設してある。
【００５４】
レール部材２３は、棚板レール部２３１とブラケットレール部２３２とが互いに接合されて構成したものである。
【００５５】
棚板レール部２３１は、縦断面が略コ字状をなし、前後方向が長手方向となる長尺棒状体である。この棚板レール部２３１は、上下方向に沿って延在する基部２３１１と、基部２３１１の上端から水平方向に延在する上部水平延在部２３１２と、上部水平延在部２３１２の延在端部より下方に向けて僅かに延在する垂下部２３１３と、基部２３１１の下端から水平方向に延在する下部水平延在部２３１４と、下部水平延在部２３１４の延在端部より上方に向けて僅かに延在する垂上部２３１５とを有して構成してある。ここで上部水平延在部２３１２と下部水平延在部２３１４との離間距離は、棚板ローラ部材２４３が進入可能な大きさを有しており、進入した棚板ローラ部材２４３は、下部水平延在部２３１４の上面を転動面として前後方向に沿って相対的に移動することになる。また垂上部２３１５の延在長さは、上部水平延在部２３１２と下部水平延在部２３１４との間に進入した棚板ローラ部材２４３が左右方向に相対的に移動して抜け出すことを規制することができる大きさに調整してある。また、基部２３１１における前端部には、上部水平延在部２３１２の下方側であって、下部水平延在部２３１４の上方側となる領域に突出する態様で前方側規制片２３１６が配設してある。
【００５６】
ブラケットレール部２３２は、縦断面が略コ字状をなし、前後方向が長手方向となる長尺棒状体である。このブラケットレール部２３２は、上下方向に沿って延在する基部２３２１と、基部２３２１の上端から水平方向に延在する上部水平延在部２３２２と、上部水平延在部２３２２の延在端部より下方に向けて僅かに延在する垂下部２３２３と、基部２３２１の下端から水平方向に延在する下部水平延在部２３２４と、下部水平延在部２３２４の延在端部より上方に向けて僅かに延在する垂上部２３２５とを有して構成してある。ここで上部水平延在部２３２２と下部水平延在部２３２４との離間距離は、ブラケットローラ部材２５２が進入可能な大きさを有しており、進入したブラケットローラ部材２５２は、下部水平延在部２３２４の上面を転動面として前後方向に沿って相対的に移動することになる。また垂下部２３２３の延在長さは、上部水平延在部２３２２と下部水平延在部２３２４との間に進入したブラケットローラ部材２５２が左右方向に相対的に移動して抜け出すことを規制することができる大きさに調整してある。また、基部２３２１における後端部には、上部水平延在部２３２２の下方側であって、下部水平延在部２３２４の上方側となる領域に突出する態様で後方側規制片２３２６が配設してある。
【００５７】
また、ブラケットレール部２３２の上部水平延在部２３２２の後方側には、切欠部２３２２ａが形成してある。この切欠部２３２２ａは、ブラケットローラ部材２５２が通過することが可能な大きさを有している。
【００５８】
これら棚板レール部２３１とブラケットレール部２３２とが、互いに背中合わせとなる態様で、すなわち互いの基部２３１１，２３２１どうしが接する態様で溶接接合されてレール部材２３が構成してある。
【００５９】
そして、レール部材２３のブラケットレール部２３２における前方側開放端よりブラケットローラ部材２５２を進入させた後、レール部材２３の棚板レール部２３１における後方側開放端より棚板ローラ部材２４３を進入させる。これにより棚板２１がブラケット２２にレール部材２３を介在させて係合され、商品載置棚２０が構成される。その後、棚板２１を後方側に向けて移動させて基準位置に位置させると、商品載置棚２０は、図１５に示すように収納姿勢となる。
【００６０】
このような商品載置棚２０が収納姿勢にある場合において、ストッパ部材３０に押圧力が付与されて、該ストッパ部材３０が弾性変形させられた場合には、突起部３１が突出部２２４との係止状態を解除されることになり、棚板２１が前方に向けて移動することが可能になる。棚板２１が前方に向けて移動させられ、ストッパ部材３０に付与された押圧力が解除されると、ストッパ部材３０は、自身の弾性復元力により元の状態に戻ることになる。
【００６１】
このようにして棚板２１が前方に向けて移動させられると、棚板ローラ部材２４３が、棚板レール部２３１を前方に向けて相対的に移動する。そして前方側の棚板ローラ部材２４３が前方側規制片２３１６に当接すると、レール部材２３（ブラケットレール部２３２）がブラケットローラ部材２５２に対して前方に向けて相対的に移動する。換言すると、ブラケットローラ部材２５２が、ブラケットレール部２３２を後方に向けて相対的に移動する。そして、後方側のブラケットローラ部材２５２が後方側規制片２３２６に当接すると、棚板２１の前方に向けての移動が規制され、商品載置棚２０は補充姿勢となる。
【００６２】
このような補充姿勢となる商品載置棚２０を上記収納姿勢にする場合には、棚板２１を後方に向けて移動させればよい。棚板２１が後方に向けて移動することにより、ストッパ部材３０の突起部３１がブラケット２２の突出部２２４に当接することになるが、ストッパ部材３０は、突出部２２４により押圧されて弾性変形し、突起部３１が突出部２２４を乗り越えた後、自身の弾性復元力により元の状態に戻る。
【００６３】
ところで、上記商品載置棚２０においては、ブラケットレール部２３２の上部水平延在部２３２２には切欠部２３２２ａが形成してある。これにより、棚板２１を前方に向けて移動させる場合に、ブラケットレール部２３２を後方に向けて相対的に移動するブラケットローラ部材２５２を切欠部２３２２ａから外部に離脱させることにより、棚板２１をブラケット２２から取り外すことができる。
【００６４】
以上説明したように本実施の形態２であるショーケースの商品載置棚２０においては、棚板２１には棚板ローラ部材２４３が配設され、ブラケット２２にはブラケットローラ部材２５２が配設され、棚板２１とブラケット２２との間に介在するレール部材２３は、棚板ローラ部材２４３の進入を許容し、かつ進入した棚板ローラ部材２４３を相対的に前後方向に沿って移動可能に支持する縦断面が略コ字状の棚板レール部２３１と、ブラケットローラ部材２５２の進入を許容し、かつ進入したブラケットローラ部材２５２を相対的に前後方向に沿って移動可能に支持する縦断面が略コ字状のブラケットレール部２３２とが互いに背中合わせとなる態様で接合されてなり、棚板２１が前後方向に沿って移動することを許容する。これにより、従来のように棚板及びブラケットのそれぞれに長尺状のレール部材を配設する必要がなく、部品点数の削減を図ることができる。しかも棚板２１及びブラケット２２にはそれぞれローラ部材（棚板ローラ部材２４３、ブラケットローラ部材２５２）を配設し、配設したローラ部材をレール部材２３に進入させるだけでよいので、組立作業が容易なものとなる。従って、本実施の形態２であるショーケースの商品載置棚２０によれば、部品点数を削減しながら組立性の向上を図ることができる。
【００６５】
特に上記商品載置棚２０においては、棚板ローラ部材２４３及びブラケットローラ部材２５２がともに樹脂材から形成され、かつそれぞれが段付ネジ２４４，２５３により該段付ネジ２４４，２５３の軸心回りに回転可能に配設してあるので、棚板２１を移動させる際に擦れ音等が生ずる虞れがない。しかも、従来のベアリングにより支持されたローラに比してスラスト方向の強度を向上させることができる。よって、重荷重の商品の陳列を可能にすることができる。
【産業上の利用可能性】
【００６６】
以上のように、本発明に係る商品載置棚は、収納対象となる商品を所望の温度状態に保持するようにしたショーケースに有用である。
【符号の説明】
【００６７】
１  ケース本体
２  収納室
８  支柱
２０  商品載置棚
２１  棚板
２１１  上面
２１２  棚板補強材
２１３  棚板ローラ部材
２２  ブラケット
２２１  係合片
２２２  ブラケットローラ部材
２２４  突出部
２３  レール部材
２３１  棚板レール部
２３１１  基部
２３１２  上部延在部
２３１３  垂下部
２３１４  下部延在部
２３１５  垂上部
２３１６  前方側規制片
２３２  ブラケットレール部
２３２１  基部
２３２２  上部水平延在部
２３２２ａ  切欠部
２３２３  垂下部
２３２４  下部水平延在部
２３２５  垂上部
２３２６  後方側規制片
３０  ストッパ部材
３１  突起部
【図１】
0005589448.tif 000002
【図２】
0005589448.tif 000003
【図３】
0005589448.tif 000004
【図４】
0005589448.tif 000005
【図５】
0005589448.tif 000006
【図６】
0005589448.tif 000007
【図７】
0005589448.tif 000008
【図８】
0005589448.tif 000009
【図９】
0005589448.tif 000010
【図１０】
0005589448.tif 000011
【図１１】
0005589448.tif 000012
【図１２】
0005589448.tif 000013
【図１３】
0005589448.tif 000014
【図１４】
0005589448.tif 000015
【図１５】
0005589448.tif 000016
【図１６】
0005589448.tif 000017